(57)【要約】【課題】  コスト上昇を招くことなく制御基板の種類に関係なく兼用できる兼用できると共に保守交換も可能な構成を備えた遊技機用電装基板アッセンブリーを提供する。【解決手段】  基板３００を挟んで一方側に配置される一面開放型の箱形状をなす基板ベース３０１および基板カバー３０２とを備え、基板ベース３０１には、基板カバー３０２に向けて取り付けネジＴＰ１を挿通するための挿通孔３０１Ａと、基板３００の締結部３０１Ｄとが設けられ、基板カバー３０２には、基板ベース３０１側から挿通された取り付けネジの締結部３０２Ｂが内側に設けられると共に、基板３００の締結部に向けて固定ネジを挿通する固定用挿通孔３０２Ａが設けられ、該固定用挿通孔のうちで選択された固定用挿通孔には基板カバー外部からかしめ用部材３０３が挿入されて封止される構成であること特徴とする。【選択図】    図４
2005270208.tif 000002
【特許請求の範囲】
【請求項１】
電装部品が実装された基板を内部に収容可能な樹脂製ケースを備えている遊技機用基板アッセンブリーであって、
上記基板を挟んで一方側に配置される一面開放型の箱形状をなす基板ベースおよび基板カバーとを備え、
上記基板ベースには、上記基板カバーに向けて取り付けネジを挿通するための挿通孔と、上記基板の締結部とが設けられ、
上記基板カバーには、上記基板ベース側から挿通された取り付けネジの締結部が内側に設けられると共に、上記基板の締結部に向けて固定ネジを挿通する固定用挿通孔が設けられ、該固定用挿通孔のうちで選択された固定用挿通孔には基板カバー外部からかしめ用部材が挿入されて封止される構成であることを特徴とする遊技起用基板アッセンブリー。
【請求項２】
請求項１記載の遊技機用基板アッセンブリーにおいて、
上記基板ベースに設けられている基板の締結部は、上記基板に挿通されたネジの締結用と上記基板カバー側に設けられている固定用挿通孔から挿入された固定ネジの締結部とが設けられていることを特徴とする遊技機用基板アッセンブリー。
【請求項３】
請求項１または２記載の遊技起用基板アッセンブリーにおいて、
上記基板が遊技内容に影響する種類の電装部品を備えている場合には、上記基板カバーに対して上記基板ベース側の挿通孔に挿通された取り付けネジを該基板カバーの内側に設けられている締結部に締結して上記基板を挟んで上記基板カバーを上記基板ベースに一体化することを特徴とする遊技起用基板アッセンブリー。
【発明の詳細な説明】
【技術分野】
【０００１】
本発明は、遊技機用基板アッセンブリーに関し、さらに詳しくは、パチンコ遊技機、スロットマシンあるいは雀球機さらにはパチスロマシンやゲームセンタで用いられるゲーム機などの箱形遊技機に用いられる制御回路基板を対象とするアッセンブリーに関する。
【背景技術】
【０００２】
周知のように、遊技機、特に箱型遊技機の一つであるスロットマシンにおいては、スタートレバーあるいはスタートボタンを操作することにより複数個のリールを回転させ、ストップボタンを操作させることで各リールの回転を順次停止させ、停止した際のリールの図柄の組み合わせによりメダルあるいは球を払い出す構成を用いたものがある。
【０００３】
スロットルマシンでは、ゲーム過程において入賞や特別入賞などに応じてメダルや球の配当数が異なるようにしてあることから、入賞あるいは特別入賞等の成立時でのメダルの払い出し制御や効果音あるいはディスプレイ表示などの制御さらにはリールの駆動制御が行われるようになっており、各制御に用いられる構成としては、プリント基板を用いた制御基板に各種電装部品を設けて電気的な制御装置を構成するようになっている。
【０００４】
プリント基板からなる制御基板は、これを実装する位置に応じて配置構造が設定されており、例えば、遊技機の前面操作パネルの裏側に設けてある空間内に制御対象となる液晶などの電装品と一体に設けられたりあるいはリールユニットと一体に設けられている。
【０００５】
ところで、各種制御基板のうちで、ＲＯＭを取り出して不正に抽選結果の内容を変更する不正行為の対象となるのを防止するための処置が施されている。
例えば、制御基板の設置位置においてその基板を覆うように塞ぐことができる基板ケースのと率家部品の頭部を溶解させたり（例えば、特許文献１）、あるいは、基板ケースの取り付けを締結作業ではなく、ワンウェイネジ等の特殊な部品を用いたかしめ作業により行うようにして不用意に取り外せないようにした構成が提案されている（例えば、特許文献２）。
【０００６】
【特許文献１】特開２００２−２１９２５７号公報（段落「００３４」欄）
【特許文献２】特開２００１−１７０２５５号公報（段落「００７３」欄）
【発明の開示】
【発明が解決しようとする課題】
【０００７】
上記特許文献に開示されているような基板ケースの取り付け構造においては、抽選結果に影響するＲＯＭなど備えた制御基板だけではなく単なるリールの駆動制御に用いられる制御基板を対象とした場合においても、わざわざ特殊な部品を用いることが必要となるため、コスト上昇は否めないという問題がある。
しかも、かしめ作業により一旦固定されたケースは取り外せないことが逆に災いしてＲＯＭの更新時や保守などには基板ケースだけでなくこれに付随する装置、例えば液晶パネルやリールなどを取り外す作業が必要となり、簡単な保守交換作業が行えないという問題もある。
【０００８】
本発明の目的は、上記従来の遊技機、特に、遊技起用基板アッセンブリーにおける問題に鑑み、コスト上昇を招くことなく制御基板の種類に関係なく兼用できる兼用できると共に保守交換も可能な構成を備えた遊技機用基板アッセンブリーを提供することにある。
【課題を解決するための手段】
【０００９】
請求項１記載の発明は、電装部品が実装された基板を内部に収容可能な樹脂製ケースを備えている遊技機用基板アッセンブリーであって、上記基板を挟んで一方側に配置される一面開放型の箱形状をなす基板ベースおよび基板カバーとを備え、上記基板ベースには、上記基板カバーに向けて取り付けネジを挿通するための挿通孔と、上記基板の締結部とが設けられ、上記基板カバーには、上記基板ベース側から挿通された取り付けネジの締結部が内側に設けられると共に、上記基板の締結部に向けて固定ネジを挿通する固定用挿通孔が設けられ、該固定用挿通孔のうちで選択された固定用挿通孔には基板カバー外部からかしめ用部材が挿入されて封止される構成であることを特徴としている。
【００１０】
請求項２記載の発明は、請求項１記載の発明に加えて、上記基板ベースに設けられている基板の締結部は、上記基板に挿通されたネジの締結用と上記基板カバー側に設けられている固定用挿通孔から挿入された固定ネジの締結部とが設けられていることを特徴としている。
【００１１】
請求項３記載の発明は、請求項１または２記載の発明に加えて、上記基板が遊技内容に影響する種類の電装部品を備えている場合には、上記基板カバーに対して上記基板ベース側の挿通孔に挿通された取り付けネジを該基板カバーの内側に設けられている締結部に締結して上記基板を挟んで上記基板カバーを上記基板ベースに一体化することを特徴としている。
【発明の効果】
【００１２】
請求項１乃至３記載の発明によれば、基板ベース側およびこれと基板を挟んで対峙する基板カバーとにそれぞれ設けられているネジの締結部および挿通部を選択することにより基板の形式に応じて基板カバーに対する締結形態を異ならせることができ、これにより、基板カバーの取り外しの可能性を変化させることができる。つまり、遊技内容に影響する種類の電装部品が実装されている基板を対象とする場合には、基板ベース側からネジを挿通して基板カバーに締結させることにより基板カバー外部からのネジの取り外しができないようにすることができ、遊技内容に影響しない種類の電装部品が実装されている基板を対象とする場合には基板カバー側からネジを挿通して基板ベース側に締結させることにより基板カバー外部からのネジの取り外しが行えるようにして基板カバーを開放することができる。この結果、基板の形式に拘わらず、共通の基板ベースおよび基板カバーを用いることが可能となりコスト上昇を抑えることが可能となる。
しかも、基板の形式によって基板ベースと基板カバーとの固定形態が異なるために、不用意な基板の取り外しを確実に防止することで不正行為を抑止することが可能となる。
【発明を実施するための最良の形態】
【００１３】
以下、本発明を実施するための最良の形態を図面に示す実施例により説明すると次の通りである。なお、以下の説明する最良の形態は、メダルの払い出しを行う構成を備えたスロットマシンを対象として説明する。
【実施例】
【００１４】
図１は、本発明の実施形態に係るスロットマシン１の外観図であり、同図に示すスロットマシン１０は、遊技結果を提示するためのメインリール装置１００の占有領域に対して演出にかかる領域を相対的に拡大し得る構造を備えている。
つまり、このスロットマシン１０は、通常知られているスロットマシンにおいて、着座した遊技者のほぼ上半身と対面する位置のパネル面の大きさを演出にかかる領域に設定し、本来、遊技結果を提示するメインリール装置が占有する領域よりも大きくされた構成を備えている。
図１において、パネル面での構成を説明すると、スロットマシン１０に設けられている「前面パネル部」は、一般的で平均的な周知のスロットマシンに設けられている「前面パネル部」とほぼ同程度の大きさを有しており、この「前面パネル部」が「演出に係る領域」となっており、全面扉１１において操作部より上方に設けられている領域、つまり視覚的に訴える演出表示を行うのに好適な領域とされている。
なお、図１に示す本スロットマシン１０の前面扉１１の外形寸法が、長年にわたって伝統的に踏襲されている一般的スロットマシンの外形寸法に合わせられて、その横幅ＷＡＡが約４７５mm、高さＴＡが約８１０mmに決められ、更に、操作部１６より上方に設けられている「前面パネル部」の横幅ＷＡＡが、約４７５mm、縦幅ＴＡＡが、約４６２mmに決められている。
【００１５】
ただし、本実施形態のスロットマシン１０の「前面パネル部」並びに演出に係
る領域は、上述した横幅ＷＡＡ（約４７５mm）と縦幅ＴＡＡ（約４６２mm）に決められているが、この寸法はあくまでも具体的一例であり、本発明の回胴式遊技機に設けられている演出に係る領域の大きさ（寸法）はこの具体的寸法に限定されるものではない。つまり、本発明の回胴式遊技機に設けられている演出に係る領域の大きさ（横幅と縦幅）は、上述した一般的で平均的な周知のスロットマシンに設けられている「前面パネル部（別言すれば、演出に係る領域）」と同程度の大きさ（横幅と縦幅）であればよい。
【００１６】
以下に、本実施例におけるスロットマシンの構成について説明すると次の通りである。
上部パネル部１３には、意匠的に遊技者の視覚に訴える形状及び色彩、模様、絵柄等を施してデザイン設計された複数の演出用ランプ１３ａ，１３ｂ，１３ｃ，１３ｄ，１３ｅ及び演出用パネル１３ｆが設けられる他、演出用の効果音を発するスピーカが裏面側に取り付けられた放音部１３ｇ，１３ｈが設けられており、更に、演出用パネル１３ｆの中央部に一体成形されている略長方形の透明な窓（以下「第１透明窓」という）ＷＤ１を介して上部パネル部１３の裏面側に、遊技結果を提示するための小型のリール装置（以下「メインリール装置」という）１００が配設されている。
【００１７】
つまり、第１透明窓ＷＤ１が、メインリール装置１００に備えられているメインリールＭＲ１，ＭＲ２，ＭＲ３の各外周面に周方向に沿って描かれている図柄を透過して、遊技者に対し目視可能にする表示領域となっている。
【００１８】
メインリール装置１００は、３個の小型の回転リール（以下「メインリール」という）ＭＲ１，ＭＲ２，ＭＲ３を備えて構成されており、後述のスタートレバーＢＬがオン操作されると、これらメインリールＭＲ１，ＭＲ２，ＭＲ３がほぼ同時に回転動作を開始し、また、後述のストップボタンＢＰ１，ＢＰ２，ＢＰ３がオン操作（ストップ操作）されると、そのストップ操作された順番に従って、回転中のメインリールＭＲ１，ＭＲ２，ＭＲ３が順次に停止するように、所定の制御が行われるようになっている。
【００１９】
また、メインリールＭＲ１，ＭＲ２，ＭＲ３の夫々の外周面には、周方向に沿って所定個数及び所定の大きさの図柄が描かれており、透明プラスチック板等で成形されている第１透明窓ＷＤ１は、各メインリールＭＲ１，ＭＲ２，ＭＲ３に描かれている図柄を一つずつ視認可能とする大きさに設計されている。このため、例えば、メインリールＭＲ１，ＭＲ２，ＭＲ３が停止すると、遊技者は、同図中の１点鎖線にて示されている有効ラインＬ１に沿って横一列に並んだ合計３個の図柄を、第１透明窓ＷＤ１を介して目視できるようになっている。
【００２０】
中部パネル部１４には、絵柄や模様等が印刷されているいわゆる化粧板に相当する略長方形の演出用パネル１４ａと、演出用パネル１４ａの両側に設けられた演出用ランプ１４ｂ，１４ｃと、演出用パネル１４ａの中央部に一体成形されている略長方形の透明な窓（以下「第２透明窓」という）ＷＤ２を介して中部パネル部１４の裏面側に、演出表示を行うための大型のリール装置（以下「サブリール装置」という）２００が配設されている。
【００２１】
また、サブリール装置２００は、上述のメインリールＭＲ１，ＭＲ２，ＭＲ３よりも大型の回転リール（以下「サブリール」という）ＳＲ１，ＳＲ２，ＳＲ３を備えて構成されており、ゲームの進行等に伴ってこれらのサブリールＳＲ１，ＳＲ２，ＳＲ３が制御され、適宜の速度で正回転又は逆転したり停止等することによって、遊技者の視覚に訴える演出表示を行う。
【００２２】
サブリールＳＲ１，ＳＲ２，ＳＲ３の夫々の外周面には、周方向に沿って所定個数及び所定の大きさの図柄が描かれており、透明なプラスチック板等で成形されている第２透明窓ＷＤ２は、各サブリールＳＲ１，ＳＲ２，ＳＲ３に描かれている図柄を３列分ずつ視認可能とする大きさに設計されている。このため例えば、サブリールＳＲ１，ＳＲ２，ＳＲ３が停止すると、遊技者は、同図中に示されている５本の２点鎖線（仮想線）Ｌ２に沿って横又は斜めに並んだ合計９個の図柄を、第２透明窓ＷＤ２を介して目視できるようになっている。
【００２３】
操作部１６には、スロットマシンゲームを行うのに必要な遊技メダルを投入するためのメダル投入部ＭＤと、１ゲーム当たりのメダル数を提示するためのベットボタンＢＴ１，ＢＴ２と、１ゲームの開始を指示するためのスタートレバーＢＬと、回転中のメインリールＭＲ１，ＭＲ２，ＭＲ３を個別に停止させるためのストップボタンＢＰ１，ＢＰ２，ＢＰ３と、前面扉１１を基体１２側に施錠又は解錠するための所定の鍵を挿入するための鍵穴ＫＹ等が設けられている。
【００２４】
なお、ベットボタンＢＴ１は１ゲーム当たりの遊技メダルの賭け枚数を１枚、ベットボタンＢＴ２は３枚提示するために設けられており、特にベットボタンＢＴ２は「マックスベットボタン」と呼ばれている。
【００２５】
そして、遊技者がゲームを行うのに必要な枚数の遊技メダルをメダル投入部ＭＤへ投入若しくはベットボタンＢＴ１，ＢＴ２の何れか一方をオン操作してスタートレバーＢＬをオン操作すると、ゲーム開始となって後述の主制御基板７００においていわゆる役抽選が行われ、更にメインリール装置１００のメインリールＭＲ１，ＭＲ２，ＭＲ３がほぼ同時に所定方向へ回転動作を開始する。
【００２６】
引き続き遊技者がストップボタンＢＰ１，ＢＰ２，ＢＰ３を所望の順番でストップ操作すると、それらストップボタンＢＰ１，ＢＰ２，ＢＰ３に対応付けられているメインリールＭＲ１，ＭＲ２，ＭＲ３がそのストップ操作された順序に従って停止制御され、メインリールＭＲ１，ＭＲ２，ＭＲ３に描かれている所定の図柄が上述の抽選された役に相当する組み合わせで上述の有効ラインＬ１上に一列に揃うと入賞となって、例えば所定枚数の遊技メダルが払い出される。
【００２７】
また、サブリール装置２００は、少なくとも、上述のスタートレバーＢＬがオン操作された時点から全てのメインリールＭＲ１，ＭＲ２，ＭＲ３が停止するまでの期間において、後述のサブ制御基板３００の制御の下でサブリールＳＲ１，ＳＲ２，ＳＲ３を様々に回転させることによって、遊技者の視覚に訴える演出表示を行う。
【００２８】
下部パネル部１５には、本スロットマシン１０のゲーム内容を紹介等するための画像（図示略）や模様、入賞した場合の図柄の組み合わせ等が描かれた略長方形の演出用パネル１５ａと、演出用パネル１５ａの側方に設けられた演出用ランプ１５ｂ，１５ｃと、遊技者の獲得した遊技メダルを払い出すための排出口１５ｄ及び受皿１５ｅと、効果音を発するスピーカが裏面側に取り付けられた放音部１５ｆ，１５ｇとが設けられている。
【００２９】
次に、図２を参照して、前面扉１１の裏面構造と、基体１２の内部構造を概説する。なお、図２は前面扉１１を解錠して基体１２から開いた状態を表している。
【００３０】
同図において、前面扉１１の裏面上部には、各演出用ランプ１３ａ，１３ｂ，１３ｃ，１３ｄ，１３ｅを構成する蛍光灯や高輝度発光ダイオード等の光源（符号略）が着脱自在に取り付けられると共に、上述の放音部１３ｈ，１３ｇを構成するスピーカＱ１，Ｑ２が取り付けられている。
【００３１】
また、図２には示されていないが、これらスピーカＱ１，Ｑ２の間に第１透明窓ＷＤ１が位置しており、第１透明窓ＷＤ１側にメインリールＭＲ１，ＭＲ２，ＭＲ３を対向させて、メインリール装置１００が取り付けられている。
【００３２】
更にメインリール装置１００の裏面側には、電気回路基板で形成されたサブ制御基板３００が取り付けられている。
【００３３】
また、メインリール装置１００には、各メインリールＭＲ１，ＭＲ２，ＭＲ３（図１参照）を回転駆動するための電動モータ（ステッピングモータ）を、主制御基板７００からの指令に従って制御するメインリール制御基板（以下「回胴装置基板」という）が予め設けられている。
【００３４】
メインリール装置１００及びサブ制御基板３００の下方には、第２透明窓ＷＤ２が形成された演出用パネル１４ａが取り付けられている。
【００３５】
演出用パネル１４ａの下方には、「中央表示基板」と呼ばれる電気回路基板４００が設けられている。そして、中央表示基板４００には、操作部１６に設けられているベットスイッチＢＴ１，ＢＴ２と、スタートレバーＢＬと、ストップボタンＢＰ１，ＢＰ２，ＢＰ３等が電気的に配線接続され、これらスイッチＢＴ１，ＢＴ２，ＢＬ，ＢＰ１，ＢＰ２，ＢＰ３の出力信号を主制御基板７００側へ転送する。
【００３６】
中央表示基板４００の下方には、メダル投入部ＭＤより投入される投入物を正規の遊技メダルか異物か判別して振り分けるセレクト機構Ｇ０と、セレクト機構Ｇ０で振り分けられた遊技メダルを基体１２側に設けられているホッパ装置ＨＰへ案内するガイド部材Ｇ１と、セレクト機構Ｇ０で振り分けられた異物を排出口１５ｄへ案内するガイド部材Ｇ２と、ホッパ装置ＨＰから出力される払い出し用の遊技メダルを排出口１５ｄへ案内するガイド部材Ｇ３が設けられ、更に排出口１５ｄの近傍に、放音部１５ｆ，１５ｇを構成するスピーカＱ３，Ｑ４が取り付けられている。
【００３７】
次に、基体１２内には、主電源装置ＰＷＵと、ホッパ装置ＨＰから溢れた遊技メダルを収容するための補助貯留部ＳＨＰと、サブリール装置２００が設けられている。
【００３８】
サブリール装置２００は、前面扉１１が基体１２側に施錠されると演出用パネル１４ａに形成されている第２透明窓ＷＤ２にサブリールＳＲ１，ＳＲ２，ＳＲ３が対向することとなるように、基体１２内の所定フレーム（符号略）に位置決めして取り付けられている。
【００３９】
主電源装置ＰＷＵの側面には、いわゆる配電盤に相当する電源装置基板５００が設けられ、サブリール装置２００の上端には、サブリールＳＲ１，ＳＲ２，ＳＲ３を回転駆動するための電動モータ（ステッピングモータ）を制御するための駆動回路基板６００が設けられ、駆動回路基板６００の上方には、本スロットマシン１０全体を集中制御する主制御基板７００が設けられ、基体１２の内壁の一端には、遊技場等に設置されている「ホールコンピュータ」と呼ばれる管理用コンピュータと接続可能な外部集中端子基板８００が取り付けられている。
【００４０】
そして、上述のサブ制御基板３００、中央表示基板４００、電源装置基板５００、駆動回路基板６００、主制御基板７００、外部集中端子基板８００及び回胴装置基板９００は、何れも導電性配線パターンの形成された絶縁性樹脂基板上に集積回路装置やトランジスタ、抵抗、コンデンサ等の電子部品が搭載されて配線接続されたいわゆる電気回路基板として形成されている。
【００４１】
ただし、サブ制御基板３００と主制御基板７００は、夫々硬質プラスチックのケース等に個別に収納されたユニット構造を用いたアッセンブリーで構成されている。
【００４２】
図３および図４は、本実施例に特徴部分である基板アッセンブリーが適用される装置の一つである、メインリール装置１００の外観図および分解図であり、図３においてメインリール装置１００は、３個のメインリールＭＲ１，ＭＲ２，ＭＲ３と、これら円筒形状のメインリールＭＲ１，ＭＲ２，ＭＲ３を収容するリールケース本体１０１及びリールケースカバー１０２と、回胴装置基板９００を備えて構成されている。
【００４３】
リールケースカバー１０２の裏面側に、収納ケースを構成する基板ベース３０１および基板カバー３０２内に収容されて基板ベース３０１および基板カバー３０２により挟まれた状態でサブ制御基板３００が取り付けられている。
【００４４】
リールケース本体１０１は、プラスチック成形された矩形状の筒体であり、３個のメインリールＭＲ１，ＭＲ２，ＭＲ３の外周面を、第１透明窓ＷＤ１（図１参照）を介して視認可能とする略長方形の開口が形成されている。
【００４５】
リールケースカバー１０２は、プラスチック成形された矩形状の籠体であり、リールケース本体１０１に嵌着されることにより、３個のメインリールＭＲ１，ＭＲ２，ＭＲ３を収容している。
【００４６】
回胴装置基板９００は、リールケースカバー１０２の一端に取り付けられており、各メインリールＭＲ１，ＭＲ２，ＭＲ３を回転駆動するためのステッピングモータＭＭ１，ＭＭ２，ＭＭ３に、主制御基板７００から供給される制御信号に従ってパルス幅制御を施した電力を供給することにより、ステッピングモータＭＭ１，ＭＭ２，ＭＭ３の回転と制動及び停止の制御を行い、ひいてはメインリールＭＲ１，ＭＲ２，ＭＲ３の動作を制御する。
【００４７】
収納ケースの一方をなす基板ベース３０１は、図４に示すように、リールケースカバー１０２に合わせた大きさに成形された板状のプラスチック部材から成り、収納ケースの他方をなす基板カバー３０２は、プラスチック成形された一面開放型の箱体であって、基板ベース３０１と一体化されることにより、サブ制御基板３００を挟み込んだ状態で収容している。
【００４８】
サブ制御基板３００を収容した基板ベース３０１および基板カバー３０２は、基板ベース３０１がリールケースカバー１０２の裏面側に一体化されることにより、サブ基板３００をメインリール装置１００の裏面側にサブ制御基板３００を設置することができる。これにより、遊技機の筐体内での限られたスペース内でサブ制御基板３００を設ける際に、特別なスペースを設けることなくリールケースカバーの裏面というデッドスペースを有効利用することができる。
【００４９】
上述した基板ベース３０１および基板カバー３０２の構成は、図５および６に示されている。
図５は、リールケースカバー１０２の裏面に一体化される基板ベース３０１およびサブ基板３００そしてサブ基板３００を挟んで基板ベース３０１と対峙する基板カバー３０２との配置構成を示している。
図５において、基板ベース３０１，サブ制御基板３００および基板カバー３０２は順次積層される関係で配置され、後述する手法により一体化されるようになっている。
【００５０】
図６は、リールケースカバー１０２および基板ベース３０１の構成を示しており、同図において、リールケースカバー１０２および基板ベース３０１における同一位置には、基板カバー３０２に向けて取り付けネジ（便宜上、図６において符号ＴＰ１で示す）を挿通するための挿通孔１０２Ａ、３０１Ａが複数個設けられている。
挿通孔が形成されているリールケースカバー１０２および基板ベース３０１のうちで、挿通孔に取り付けネジが挿通された場合に取り付けネジＴＰ１の頭部底面が位置する側に相当するリールケースカバー１０２側の挿通孔１０２Ａは、リールケースカバー１０２の底部内面に形成されたランド部１０２Ｂの中心に開けられており、基板ベース３０１側の挿通孔３０１Ａは単なる貫通孔で構成されている。
さらに、リールケースカバー１０２には、挿通孔１０２Ａとは別の位置に、エンボスで構成されて基板ベース３０１の取り付けに用いるベース用締結部１０２Ｃが形成されている。
このベース用締結部１０２Ｃに対しては、図６（Ｂ）に示するように、基板ベース３０１に形成されているランド部３０１Ｂの中心に位置する挿通孔３０１Ｃにネジ（便宜上、符号ＴＰ２で示す）を挿通して締結することで基板ベース３０１がリールケースカバー１０２に一体化できるようになっている。
【００５１】
一方、基板ベース３０１には、その４隅近傍位置にエンボスで構成された締結部３０１Ｄが設けられており、締結部３０１Ｄは、図５に示すように、サブ制御基板３００に形成されているネジ挿通孔３００Ａと対応する位置に設けてある。
締結部３０１Ｄは、サブ制御基板３００の締結固定部であるとともに、後述する基板カバー３０２の締結固定部となる部分であり、サブ制御基板３００を挟んだ状態で基板カバー３０２側からネジを挿通して締結することによりサブ制御基板３００が基板カバー３０２と共締めされる箇所である。
【００５２】
一方、基板カバー３０２には、基板ベース３０１側の締結部３０１Ｄに対応する位置に固定ネジの挿通できる固定用挿通孔３０２Ａが設けられている。
基板カバー３０２は、各角部のうちで、対角線の一方に位置する角部が凹状壁面とされることにより底部が露呈する形状とされている。そして、その底部に固定用挿通孔３０２Ａが貫通させてある。
これに対して対角線の他方に位置する角部は壁面を交差させて箱の側壁を構成し、その上面を窪ませることで底部を構成して固定用挿通孔が設けられている。後者の固定用挿通孔は、基板カバー３０２の上面が陥没した状態とされ、そしてその内径固定用挿通孔よりも大きくされたかしめ部３０２Ａ’として構成されている。
かしめ部３０２Ａ’には、固定用挿通孔に取り付けネジが挿通された後、例えば特殊な工具などで壊したうえでないと取り付けネジを操作することができないカバー部材としてのかしめ用部材３０３が装填されるようになっており、かしめ用部材３０３が装填されるとかしめ部３０２Ａ’が封止されて外部から一見して取り外し操作ができない印象を与えるようになっている。
【００５３】
一方、基板カバー３０２の内面には、リールケースカバー１０２および基板ベース３０１側にそれぞれ設けられている挿通孔１０２Ａ、３０１Ａと対応する位置に、エンボスで構成された取り付けネジ（図６（Ａ）において符号ＴＰ１で示すネジ）を締結できる締結部（図５において符号３０２Ｂで示す）が設けられている。
締結部３０２Ｂに対しては、リールケースカバー１０２側から挿通された取り付けネジＴＰ１を締結させることで基板カバー３０２をリールケース１０２および基板ベース３０１に一体化できるようになっている。
リールケースカバー１０２側からの取り付けネジＴＰ１を挿通する際にサブ制御基板３００に取り付けネジＴＰ１が突き当たるようなことがないように、サブ制御基板３００には、該当する箇所に切り欠き３００Ｂが設けてある。
【００５４】
本実施例は以上のような構成であるから、基板アッセンブリーを構成する際には、リールケースカバー１０２に対して基板ベース３０１が締結されて固定される。
基板ベース３０１がリールケースカバー１０２に固定されると、サブ制御基板３００を挟んだ状態で基板カバー３０２を被せ、基板カバー３０２側の挿通孔３０２Ａに取り付けネジを挿通して基板ベース３０１側の締結部３０１Ｄに締結することによりアッセンブリーが構成される。
【００５５】
一方、サブ制御基板３００は遊技内容に影響する電装部品を実装している基板であるので、外部から不用意に取り外されるのを避ける必要がある部品である。そこで、本実施例では、リールケースカバー１０２側から基板カバー３０２側に向けた取り付けネジＴＰ１の挿通方式を採用することで基板カバー３０２を外部から取り外せないようにしている。
つまり、基板カバー３０２は、一つの対角線の線上に位置する挿通孔がかしめ用部材３０３によって封止されているのに加えて、仮にかしめ部分を破壊したとしても締結部３０２での取り付けネジＴＰ１の締結を解除しない限り基板カバー３０２を取り外すことはできないようになっている。
【００５６】
ところで、基板として、サブ制御基板３００とは異なり、遊技内容に影響しない電装部品が実装されている基板が用いられる場合には、上述したリールケースカバー１０２側からの取り付けネジの挿通を行わなくてもよい。
【００５７】
基板の更新等において基板を交換するよな場合には、特殊な工具を用いてかしめ用部材３０３を取り除いたうえで、リールケースカバー１０２側から取り付けネジＴＰ１を操作して取り除くことで基板カバー３０２を取り外すことができる、これにより、メインリール装置１００そのものを取り外すことなく、遊技機１０の扉を開放して各メインリール間の隙間からドライバを差し込むことにより基板カバー３０２の取り外しが行えることになるので、保守交換作業が簡易化できる。なお、取り付けネジＴＰ１自体を特殊なドライバを用いて操作する形式とした場合には、かしめ用部材３０３を用いなくてもよい。
【００５８】
なお、上述の形態において、本発明に係る基板アッセンブリーはスロットマシン１に設けられているが、これに限られたものでなく、たとえばアーケードゲーム機等、前面側に開口を有する箱型の筺体、あるいは、パチンコ遊技機に用いることも可能である。また、本実施例に挙げたスロットマシンのように、遊技結果を提示する要理機に比較して演出領域を拡大した構成に限らず、通常一般に知られている形式のスロットマシンを対象とすることももちろん可能である。
【図面の簡単な説明】
【００５９】
【図１】本発明実施例によるスロットマシンの外観構造を示す正面図である。
【図２】図１に示したスロットマシンの内部構造を示す図である。
【図３】図１に示したスロットマシンに用いられるメインリール装置の外観構造を表した斜視図である。
【図４】図３に示したメインリール装置の分解斜視図である。
【図５】図４に示したメインリール装置の構成部材の配置図である。
【図６】図５に示した構成部材の一つであるリールケースカバーおよび基板ベースの構成を説明するための図であり、（Ａ）はリールケースカバーの内部を示す図、（Ｂ）基板ベースの構成を示す図である。
【符号の説明】
【００６０】
１０            スロットマシン
１００          メインリール装置
１０２          リールケースカバー
３００          サブ制御基板
３０１          基板ベース
３０１Ａ        挿通孔
３０１Ｄ        締結部
３０２          基板カバー
３０２Ａ        挿通孔
３０２Ｂ        締結部
ＴＰ１，ＴＰ２  取り付けネジ
【図１】
2005270208.tif 000003
【図２】
2005270208.tif 000004
【図３】
2005270208.tif 000005
【図４】
2005270208.tif 000006
【図５】
2005270208.tif 000007
【図６】
2005270208.tif 000008